(57)【要約】【課題】  トラックの荷台等への積み降ろし作業及び物流倉庫等での移動作業の作業性を向上して作業者の労働環境の改善を図ることができて、歩行型作業機の積み降ろし作業及び移動作業の効率化を図ることのできる歩行型作業機用スタンドを実現する。【解決手段】  歩行型作業機用スタンド７を、歩行型作業機の左右側方に形成された被装着部５に固定及び取り外し自在な取付部１０と、この取付部１０に固定された接地部８と、リフト装置Ｆのフォーク爪Ｎを係入可能な係入部１１とを備えて構成する。【選択図】図２
2008109877.tif 000002
【特許請求の範囲】
【請求項１】
歩行型作業機の左右側方に形成された被装着部に固定及び取り外し自在な取付部と、この取付部に固定された接地部と、リフト装置のフォーク爪を係入可能な係入部とを備えてある歩行型作業機用スタンド。
【請求項２】
歩行型作業機の前記被装着部に前記取付部を固定し前記接地部を地面に接地させた状態で、歩行型作業機が倒立姿勢になるように前記取付部及び接地部を構成してある請求項１記載の歩行型作業機用スタンド。
【請求項３】
歩行型作業機の前記被装着部に前記取付部を固定し前記接地部を地面に接地させた状態で、前後又は左右方向における前記接地部の両端部の略中間位置の鉛直線上を歩行型作業機の重心位置が通るように前記接地部を構成してある請求項１又は２記載の歩行型作業機用スタンド。
【発明の詳細な説明】
【技術分野】
【０００１】
本発明は、歩行型作業機を移動及び保管する際に用いる歩行型作業機用スタンドに関する。
【背景技術】
【０００２】
従来の技術としては、例えば、特許文献１及び特許文献２に開示されているように、歩行型田植機等の歩行型作業機に歩行型作業機用スタンドを装着して倒立姿勢に倒立させた状態で、歩行型作業機用スタンドを木製のトラック荷台に釘等で固定することによって、歩行型作業機を移動可能に構成した歩行型作業機用スタンドに関する技術が知られている。
【０００３】
【特許文献１】特開平７−８１６３３号公報（図２及び段落番号「００１０」参照）
【特許文献２】特許第３０８９１５４号公報（図２及び段落番号「００１３」参照）
【発明の開示】
【発明が解決しようとする課題】
【０００４】
特許文献１及び２に開示されている従来の歩行型作業機用スタンドを装着した歩行型作業機をトラックの荷台等に積み降ろしする場合や物流倉庫等で移動させる場合には、歩行型作業機を横置きにした状態で、作業者が歩行型作業機を転がすことによって歩行型作業機を移動させる作業形態が採用されていた。
しかし、人力で歩行型作業機をトラックの荷台等に積み降ろしする作業や、人力で物流倉庫内において歩行型作業機を移動させる作業は重労働であり、作業者の労働環境改善の観点から改善の余地があった。
また、歩行型作業機をトラックの荷台等に積み降ろしする作業や、物流倉庫等で歩行型作業機を移動させる作業は、物流倉庫等の稼働率向上の観点及び物流コスト削減の観点から迅速に短時間で行う必要があるが、これらの作業を人力で行おうとすると多くの時間を要していた。そのため、積み降ろし作業及び移動作業の効率化の観点からの改善の余地があった。
本発明は、トラックの荷台等への積み降ろし作業及び物流倉庫等での移動作業の作業性を向上して作業者の労働環境の改善を図ることができて、歩行型作業機の積み降ろし作業及び移動作業の効率化を図ることのできる歩行型作業機用スタンドを実現することを目的とする。
【課題を解決するための手段】
【０００５】
［Ｉ］
（構成）
本発明の第１特徴は、歩行型作業機用スタンドを次のように構成することにある。
歩行型作業機の左右側方に形成された被装着部に固定及び取り外し自在な取付部と、この取付部に固定された接地部と、リフト装置のフォーク爪を係入可能な係入部とを備える。
【０００６】
（作用）
本発明の第１特徴によると、歩行型作業機に歩行型作業機用スタンドを装着した状態で、リフト装置のフォーク爪を歩行型作業機用スタンドに設けた係入部に係入させて、リフト装置のフォーク爪を上方へ揚げてリフト装置を走行させることによって、歩行型作業機を移動させることができる。すなわち、リフト装置で歩行型作業機を移動することができる。
【０００７】
（発明の効果）
本発明の第１特徴によると、リフト装置で歩行型作業機を移動することができるため、人力で歩行型作業機を移動する場合に比べて、トラックの荷台等への積み降ろし作業及び物流倉庫等での移動作業の作業性を向上させることができて、作業者の労働環境を改善することができた。また、リフト装置で歩行型作業機を移動することができるため、物流倉庫等において迅速に短時間で歩行型作業機の積み降ろし作業や移動作業を行うことができて、歩行型作業機の積み降ろし作業及び移動作業の効率化を図ることができた。
【０００８】
［ＩＩ］
（構成）
本発明の第２特徴は、本発明の第１特徴の歩行型作業機用スタンドにおいて、次のように構成することにある。
歩行型作業機の前記被装着部に前記取付部を固定し前記接地部を地面に接地させた状態で、歩行型作業機が倒立姿勢になるように前記取付部及び接地部を構成する。
【０００９】
（作用）
本発明の第２特徴によると、本発明の第１特徴と同様に前項［Ｉ］に記載の「作用」を備えており、これに加えて以下のような「作用」を備えている。
例えば、特許文献１及び２に開示されている従来の歩行型作業機用スタンドを装着した歩行型作業機においては、トラックの荷台等の上に歩行型作業機を積み込んで、トラックの荷台上で作業者が歩行型作業機を倒立させて、歩行型作業機用スタンドを木製のトラックの荷台等に釘等で固定する作業形態が採用されていた。トラックの荷台等で歩行型作業機を倒立姿勢に倒立させる作業は重労働であり、作業者の労働環境改善の観点から改善の余地があった。
【００１０】
また、歩行型作業機を横置きにした状態で物流倉庫等に保管すると、保管スペースを広く確保する必要があり、物流倉庫等における保管に要する物流コストの削減の観点から改善の余地があった。
【００１１】
本発明の第２特徴によると、歩行型作業機の被装着部に取付部を固定し接地部を地面に接地させた状態で、歩行型作業機が倒立姿勢になるように取付部及び接地部を構成することにより、倒立姿勢に倒立させた状態の歩行型作業機をリフト装置で移動することができ、倒立姿勢に倒立させた状態の歩行型作業機をトラックの荷台等にリフト装置で積み降ろしすることができる。そのため、トラックの荷台等で歩行型作業機を倒立姿勢に倒立させる作業が必要なくなる。
【００１２】
本発明の第２特徴によると、歩行型作業機の被装着部に取付部を固定し接地部を地面に接地させた状態で、歩行型作業機が倒立姿勢になるように取付部及び接地部を構成することにより、歩行型作業機を倒立姿勢に倒立させた状態で物流倉庫等に保管することができる。そのため、歩行型作業機を横置きにした状態で保管する場合に比べて、同じ保管スペースに多くの歩行型作業機を保管することができて、歩行型作業機を効率的に保管することができる。
【００１３】
（発明の効果）
本発明の第２特徴によると、本発明の第１特徴と同様に前項［Ｉ］に記載の「発明の効果」を備えており、これに加えて以下のような「発明の効果」を備えている。
本発明の第２特徴によると、トラックの荷台等で歩行型作業機を倒立姿勢に倒立させる作業が必要なくなるため、作業者の労働環境を改善することができる。
【００１４】
本発明の第２特徴によると、歩行型作業機を効率的に保管することができるため、物流倉庫等における保管に要する物流コストを削減することができる。
【００１５】
［ＩＩＩ］
（構成）
本発明の第３特徴は、本発明の第１特徴又は第２特徴の歩行型作業機用スタンドにおいて、次のように構成することにある。
歩行型作業機の前記被装着部に前記取付部を固定し前記接地部を地面に接地させた状態で、前後又は左右方向における前記接地部の両端部の略中間位置の鉛直線上を歩行型作業機の重心位置が通るように前記接地部を構成する。
【００１６】
（作用）
本発明の第３特徴によると、本発明の第１特徴又は第２特徴と同様に前項［Ｉ］［ＩＩ］に記載の「作用」を備えており、これに加えて以下のような「作用」を備えている。
例えば、歩行型作業機用スタンドを装着した歩行型作業機をトラックの荷台等に積載して運搬する場合や物流倉庫等に保管する場合に、歩行型作業機の重心位置が接地部の端部の近い位置の鉛直線上にあると、歩行型作業機の運搬や保管をする際に歩行型作業機が安定せず、最悪の場合には横転して歩行型作業機を損傷するおそれがある。特に、歩行型作業機を倒立姿勢に倒立させた状態で運搬や保管をする場合においては、重心位置が高くなるため歩行型作業機が不安定になり易い。そうすると、トラックの運転や物流倉庫等における保管に気を使う必要があり、配送作業や保管作業の作業性が悪くなるおそれがある。
【００１７】
本発明の第３特徴によると、歩行型作業機の被装着部に取付部を固定し接地部を地面に接地させた状態で、前後又は左右方向における接地部の両端部の略中間位置の鉛直線上を歩行型作業機の重心位置が通るように接地部を構成することにより、歩行型作業機の重心位置を接地部の端部から遠い位置の鉛直線上に配置することができて、歩行型作業機用スタンドを装着した歩行型作業機をトラックの荷台等に積載して運搬する場合や物流倉庫等に保管する場合に、歩行型作業機が安定し易くなる。
【００１８】
（発明の効果）
本発明の第３特徴によると、本発明の第１特徴又は第２特徴と同様に前項［Ｉ］［ＩＩ］に記載の「発明の効果」を備えており、これに加えて以下のような「発明の効果」を備えている。
本発明の第３特徴によると、歩行型作業機用スタンドを備えた歩行型作業機をトラックの荷台等に積載して運搬する場合や物流倉庫等に保管する場合に歩行型作業機が安定し易くなるため、歩行型作業機の配送作業や保管作業の作業性を向上させることができる。
【発明を実施するための最良の形態】
【００１９】
〔歩行型田植機の全体構成〕
図１に示すように、歩行型作業機の一例である歩行型田植機は、エンジンＥの後方に位置するミッションケースＭから後方に車輪１が延出されており、機体後方に延出した操縦ハンドル２を握って車輪１を駆動させることによって、歩行型田植機の移動及び稲苗の植え付けができるように構成されている。エンジンＥを支持する搭載台３の前部にウエイト４が固定されており、このウエイト４に前方からコ字状のプロテクター５（被装着部に相当）が固定されている。プロテクター５の両側面には、後述するスタンド７を固定するためのナット部５ａが左右それぞれ２箇所ずつ前後に加工されており、このナット部５ａにスタンド７取り付け用の連結ボルト６が予め取り付けられている。
【００２０】
〔スタンドの詳細構造〕
図２〜図６に基づいて本発明に係るスタンド７の詳細構造について説明する。図２〜図４は、歩行型田植機にスタンド７を取り付けて倒立姿勢に倒立させた状態を示し、図５は、歩行型田植機からスタンド７を取り外した状態におけるスタンド７の斜視図を示す。なお、以下の説明において、図２を正面から見た場合の紙面左方を前方と、紙面右方を後方と、紙面の手前側を左方と、紙面の奥側を右方と表示する（図３〜図６においても同様）。
【００２１】
図５に示すように、スタンド７は、接地フレーム８（接地部に相当）と、横フレーム９と、接続板１０（取付部に相当）と、係入部１１とを溶接で強固に固着して構成されており、歩行型田植機の前端部を支点として倒立させた倒立姿勢で、歩行型田植機の移動及び保管ができるように構成されている。
【００２２】
接地フレーム８は角パイプ状の鋼管によって形成されており、左右の接地フレーム８に亘って前後２箇所に角パイプ状の横フレーム９が溶着されている。左右の接地フレーム８の左右両外側で接地フレーム８の後部に、左右対称形状の接続板１０が溶着されており、接地フレーム８の前端部及び後端部の左右両外側にリフト装置Ｆのフォーク爪Ｎを係入するための係入部１１が配設されて溶着されている。
【００２３】
左右の接続板１０は、その上部がプロテクター５の両側部の形状に合わせた地面に対して上下方向に略垂直な形状に成形されており、この垂直に形成された部分から下方へ向う末広がり状に屈曲させた形状に折り曲げ成形されている。
【００２４】
接続板１０の上部には、歩行型田植機に連結するための接続穴１０ａが歩行型田植機のナット部５ａの位置に合わせて加工されており、歩行型田植機にスタンド７を固定して歩行型田植機を倒立姿勢に倒立させると、歩行型田植機が略垂直に倒立するように構成されている（重心位置Ｐ１を前方に位置させるために、歩行型田植機の上部がやや前方に倒れて歩行型田植機が少し傾斜するように構成されている。）。接続板１０の上部に形成された接続穴１０ａの前方に、内側に折り曲げられた折曲部１０ｂが形成されており、この折曲部１０ｂに歩行型田植機の前部に固定したプロテクター５の上面側（倒立姿勢における前面側）を沿わせた状態で、片側２本の連結ボルト６で固定するように構成されている。このように構成することで、例えば、歩行型田植機を運搬中にトラックの振動等によって連結ボルト６が緩んだ場合においても、折曲部１０ｂによって歩行型田植機が前後に倒れ込むことが阻止されて、歩行型田植機の転倒を防止することができる。
【００２５】
接続板１０の下端部は左右の接地フレーム８の外面側に溶着されて、接続板１０の後端部は横フレーム９に溶着されている。このように、接続板１０を接地フレーム８及び横フレーム９に溶着することにより、接続板１０を強固に接地フレーム８及び横フレーム９に固定することができる。
【００２６】
係入部１１は、帯状の鋼板をコ字状に折り曲げた形状に成形されており、係入部１１の下面側は、地面に接当するように隙間を開けずに、接地フレーム８の下面と係入部１１の下面が面一になるように配置されて、接地フレーム８の外側の側面と横フレーム９の上面に溶着されている。
【００２７】
このように、係入部１１の下面側が地面に接当して係入部１１が接地部としても機能するように構成することにより、例えば、後述するパレットトラック１５を使用して歩行型田植機を移動する場合において、パレットトラック１５のフォーク爪１５ａが係入部１１に入り込む際のローラー１５ｂが乗り越える段差が少なくなるため、無理なくパレットトラック１５のフォーク爪１５ａを移動させることができる（図６参照）。
【００２８】
係入部１１の接地フレーム８から両外側に出っ張る部分の長さや、係入部１１の高さは、異なる種類のリフト装置Ｆであっても、リフト装置Ｆのフォーク爪Ｎを容易に係入することができるような寸法に設定されている。
【００２９】
以上のように、スタンド７に上述したフレーム構造を採用することにより、スタンド７の構造を簡素化することができて、製造コストを削減することができるとともに、接地フレーム８、横フレーム９、接続板１０、及び係入部１１を溶接で強固に連結することにより、軽量で耐久性に優れたスタンド７を実現できる。
【００３０】
図２及び図３に示すように、歩行型田植機にスタンド７を取り付けて歩行型田植機を倒立姿勢に倒立させた状態において、歩行型田植機の前後方向の重心位置Ｐ１がスタンド７を構成する接地フレーム８の前後方向の略中間位置の鉛直線上を通るように、スタンド７を構成する接地フレーム８の前方及び後方に延出する長さ（Ｌ１，Ｌ２）が設定されている。
【００３１】
図４に示すように、歩行型田植機にスタンド７を取り付けて歩行型田植機を倒立姿勢に倒立させた状態において、歩行型田植機の左右方向の重心位置Ｐ２がスタンド７の左右方向の略中間位置の鉛直線上を通るように、スタンド７を構成する横フレーム９の長さ及び係入部１１の右方及び左方に延出する長さ（Ｗ１，Ｗ２）が設定されている。
【００３２】
このように、スタンド７を構成することにより、歩行型田植機にスタンド７を取り付けて歩行型田植機を倒立姿勢に倒立させた状態において、歩行型田植機に前後から外力が働いた場合及び左右から外力が働いた場合のいずれの場合においても、スタンド７を構成する接地フレーム８又は係入部１１が支えになって、転倒し難いスタンド７を実現することができる。
【００３３】
また、左右の係入部１１にリフト装置Ｆのフォーク爪Ｎを係入した状態において、歩行型田植機の左右方向の重心位置Ｐ２が左右のフォーク爪Ｎの中央部付近に位置するように係入部１１の形状等が設定されてため、スタンド７を備えた歩行型田植機をリフト装置Ｆで移動する際に歩行型田植機が不安定になり難くなる。そのため、リフト装置Ｆによる歩行型田植機の移動作業の作業性を向上させることができる。
【００３４】
図２に示すように、歩行型田植機の前後方向の重心位置Ｐ１が、スタンド７を構成する接地フレーム８の前後方向の略中間位置を通るようにスタンド７を構成する接地フレーム８の前方及び後方に延出する長さを設定すると、スタンド７を歩行型田植機に固定するプロテクター５の位置が歩行型田植機の重心位置Ｐ１より後方に位置するため、歩行型田植機に対して接地フレーム８を後方に延出する長さが短くなる。そのため、例えば、歩行型田植機を横置きにした状態（図１の状態）からスタンド７を取り付けて接地フレーム８後端部の支点Ｐ３周りに倒立させる場合や、歩行型田植機を倒立姿勢から接地フレーム８後端部の支点Ｐ３周りに転倒させる場合に、作業者に過度な負担を掛けないで倒立及び転倒させることができるように構成されている。
【００３５】
なお、スタンド７の平面視における全長Ｌ及び全幅Ｗは一般的にトラック物流等に用いられる平面視が正方形のパレット（図示せず）と同程度の寸法に設定されており、トラックの荷台等に効率的に積み込むことのできる大きさに設定されている。
【００３６】
〔スタンドの使用状態〕
図６及び図７に基づいて、歩行型田植機にスタンド７を取り付けてリフト装置Ｆで移動する状態について説明する。図６は、リフト装置Ｆの一例であるパレットトラック１５によって移動する場合の状態を示し、図７は、リフト装置Ｆの一例である電動式又はエンジン式のフォークリフト１６によって移動する場合の状態を示す。
【００３７】
図６に示すように、歩行型田植機にスタンド７を取り付けて、歩行型田植機を倒立姿勢に倒立させた状態で、パレットトラック１５のフォーク爪１５ａ（フォーク爪Ｎに相当）を係入部１１の左右方向の位置に合わせて、パレットトラック１５を後方から前方へ移動させると、係入部１１の下面は上述した通り地面に対して接当するように形成されているため、ローラー１５ｂが係入部１１の板厚分の段差を乗り越えて、パレットトラック１５のフォーク爪１５ａが係入部１１に入り込む。このパレットトラック１５のフォーク爪１５ａが係入部１１に入り込んだ状態で、パレットトラック１５に備えた油圧式のリフト機構１５ｃを操作してフォーク爪１５ａを上昇させると、歩行型田植機を地面から持ち上げることができて、パレットトラック１５のハンドル１５ｄを押し引きすることで、歩行型田植機を移動することができる。
【００３８】
図７に示すように、歩行型田植機にスタンド７を取り付けて、歩行型田植機を倒立姿勢に倒立させた状態で、フォークリフト１６のフォーク爪１６ａ（フォーク爪Ｎに相当）を地面から浮かした状態で、係入部１１の左右方向の位置に合わせて、フォークリフト１６を前方から後方へ移動させると、フォークリフト１６のフォーク爪１６ａが係入部１１に入り込む。このフォークリフト１６のフォーク爪１６ａが係入部１１に入り込んだ状態で、フォークリフト１６に備えたリフト機構１６ｂを昇降する昇降レバー１６ｃを操作してフォーク爪１６ａを上昇させると、歩行型田植機を地面から持ち上げることができて、フォークリフト１６を操縦することで、歩行型田植機を移動することができる。
【００３９】
上述したように、このスタンド７の係入部１１は、パレットトラック１５及びフォークリフト１６のいずれを使用しても歩行型田植機を移動することができるように構成されており、例えば、物流倉庫や目的地等にフォークリフト１６がないような場合においても、パレットトラック１５を使用することによって歩行型田植機を移動することができる。また、スタンド７の前方及び後方のいずれの方向からもフォーク１５ａ，１６ａを係入部１１に係入することができるように構成されているため、歩行型田植機の移動作業の作業性を向上させることができる。
【００４０】
［発明の実施の第１別形態］
前述の［発明を実施するための最良の形態］においては、接地フレーム８の下面と係入部１１の下面が面一になるように、接地フレーム８、横フレーム９及び係入部１１の形状等を設定してスタンド７を構成した例を示したが、歩行型田植機のプロテクター５に固定及び取り外し可能な取付部、取付部に固定された接地部、及びリフト装置Ｆのフォーク爪Ｎに係入可能な係入部を備えたスタンド７であれば、取付部、接地部、及び係入部の形状や構造は異なるものであってもよく、例えば、図８に示すようなスタンド７を採用してもよい。なお、以下の説明における方向の表示は、前述の［発明を実施するための最良の形態］と同様である。
【００４１】
図８に示すように、スタンド７は、接地フレーム８（接地部に相当）と、横フレーム９と、接続板１０（取付部に相当）と、係入部１１とを溶接で強固に固着して構成されている。
【００４２】
接地フレーム８は角パイプ状の鋼管によって形成されており、この左右の接地フレーム８の前端部及び後部上面側にそれぞれ角パイプ状の横フレーム９が溶着されている。接地フレーム８の前端部に溶着された横フレーム９の下面は地面に接地するように構成されており、この横フレーム９が接地部として機能するように構成することで、スタンド７を装着した歩行型田植機を安定して支持することができる。
【００４３】
左右の接地フレーム８の内側で接地フレーム８の後部に、左右対称形状の接続板１０が溶着されており、前後の横フレーム９の左右両側部にリフト装置Ｆのフォーク爪Ｎを係入するための係入部１１が配設されて溶着されている。
【００４４】
左右の接続板１０は、その上部がプロテクター５の両側部の形状に合わせた地面に対して略垂直な形状に成形されており、この垂直に形成された部分から下方へ向う末広がり状に屈曲させた形状に折り曲げ成形されている。
【００４５】
接続板１０の上部には、歩行型田植機に連結するための接続穴１０ａが歩行型田植機のナット部５ａの位置に合わせて加工されており、歩行型田植機にスタンド７を固定して歩行型田植機を倒立姿勢に倒立させると、歩行型田植機が略垂直に倒立するように構成されている（重心位置Ｐ１を前方に位置させるために、歩行型田植機の上部がやや前方に倒れて歩行型作業機が少し傾斜するように構成されている。）。接続板１０の上部に形成された接続穴１０ａの前方に、内側に折り曲げられた折曲部１０ｂが形成されており、この折曲部１０ｂに歩行型田植機の前部に固定したプロテクター５の上面側を沿わせた状態で、片側２本の連結ボルト６で固定するように構成されている。
【００４６】
接続板１０の下端部は接地フレーム８の内面側に溶着されて、接続板１０の後端部は横フレーム９に溶着されている。このように、接続板１０を接地フレーム８及び横フレーム９に溶着することにより、接続板１０を強固に接地フレーム８及び横フレーム９に固定することができる。
【００４７】
係入部１１は、帯状の鋼板をコ字状に折り曲げた形状に成形されており、前後に位置する左右の係入部１１は、コ字状に成形された鋼板の両端部がそれぞれ横フレーム９の上面側と横フレーム９の左右方向の端部に溶着されている。
【００４８】
このように、全幅に亘って左右に長い横フレーム９を設けてスタンド７を構成することによって、リフト装置Ｆのフォーク爪Ｎで歩行型田植機を持ち揚げた際の、スタンド７における左右方向のフレーム強度を向上させることができる。
【００４９】
［発明の実施の第２別形態］
前述の［発明を実施するための最良の形態］及び［発明の実施の第１別形態］においては、歩行型田植機を倒立させた倒立姿勢で移動及び保管ができるようにスタンド７を構成した例を示したが、図９に示すように、歩行型田植機を倒立させないで、歩行型田植機を横置きにした状態のままで移動及び保管ができるようにスタンド７を構成してもよい。また、図１０に示すように、歩行型田植機全体を木枠２１で囲うように構成してもよい。
【００５０】
図９に示すように、スタンド７は、平面視が前後に縦長の長方形状に成形された接地フレーム８に、歩行型田植機の両側方からリフト装置Ｆのフォーク爪Ｎを係入可能な係入部１１を形成し、接地フレーム８の前端部に接続板１０を固着することで構成されている。このスタンド７の接続板１０に、歩行型田植機の前端部に位置するプロテクター５が連結され、歩行型田植機の後端部を木製の支持ブロック２０で支持することによって、歩行型田植機をスタンド７の上部で安定して支持することができるように構成されている。
【００５１】
このように、スタンド７を構成することにより、歩行型田植機を倒立させた倒立姿勢で移動及び保管する場合に比べて、リフト装置Ｆによって歩行型田植機を移動する場合や歩行型田植機を保管する場合における歩行型田植機の高さ方向の重心位置を低くすることができて、安定した状態で歩行型田植機の移動や保管を行うことができる。
【００５２】
図１０に示すように、スタンド７を歩行型田植機に装着して歩行型田植機を倒立姿勢に倒立させた状態で、歩行型田植機全体を木枠２１で囲うことによって、歩行型田植機を移動や保管する際に歩行型田植機が損傷することを防止できる。また、木枠２１の上部にアイボルト２２を設けることによって、リフト装置Ｆで歩行型作業機を移動できるだけでなく、例えば、物流倉庫等の天井クレーン（図示せず）やトラックの車載クレーン（図示せず）等によって歩行型作業機を移動することが可能になる。なお、スタンド７にナット部（図示せず）を構成し、アイボルト２２を直接スタンド７に取り付ける構成を採用してもよい。
【００５３】
前述の［発明を実施するための最良の形態］及び［発明の実施の第１別形態］においては、スタンド７を溶接構造で一体成形した例を示したが、接地フレーム８、横フレーム９等をボルト等で連結することによって、分解可能に構成してもよい。このように、スタンド７を分解可能に構成することで、例えば、スタンド７のみを保管や運搬する場合において、保管スペースや運搬スペースが少なくて済むため、物流コストを削減することができる。
【００５４】
［発明の実施の第３別形態］
前述の［発明を実施するための最良の形態］、［発明の実施の第１別形態］、及び、［発明の実施の第２別形態］においては、歩行型作業機の一例として歩行型田植機用のスタンド７を例に示したが、歩行型作業機であれば、田植機に限らず他の作業機にも適用でき、例えば、歩行型管理機（図示せず）のスタンド７にも同様に適用できる。
【図面の簡単な説明】
【００５５】
【図１】歩行型田植機の全体左側面図
【図２】スタンドを取り付けた状態における歩行型田植機の全体左側面図
【図３】スタンドを取り付けた状態におけるスタンド付近の詳細側面図
【図４】スタンドを取り付けた状態におけるスタンド付近の詳細正面図
【図５】スタンドの構造を示す斜視図
【図６】パレットトラックでのスタンドの使用状態を示す側面図
【図７】フォークリフトでのスタンドの使用状態を示す側面図
【図８】発明の実施の第１別形態におけるスタンドの構造を示す斜視図
【図９】発明の実施の第２別形態におけるスタンドを取り付けた状態における歩行型田植機の全体左側面図
【図１０】発明の実施の第２別形態におけるスタンドを取り付けた状態における歩行型田植機の全体左側面図
【符号の説明】
【００５６】
５        プロテクター（被装着部）
７        スタンド
８        接地フレーム（接地部）
１０      接続板（取付部）
１１      係入部（接地部としても機能）
Ｆ        リフト装置
Ｎ        フォーク爪
Ｐ１      重心位置（前後方向）
Ｐ２      重心位置（左右方向）
【図１】
2008109877.tif 000003
【図２】
2008109877.tif 000004
【図３】
2008109877.tif 000005
【図４】
2008109877.tif 000006
【図５】
2008109877.tif 000007
【図６】
2008109877.tif 000008
【図７】
2008109877.tif 000009
【図８】
2008109877.tif 000010
【図９】
2008109877.tif 000011
【図１０】
2008109877.tif 000012